(57)【要約】【課題】携帯機器の操作性を向上させる。【解決手段】記録された画像の中の位置Ｌ１に表示領域Ｃが仮想的に設定され、表示領域Ｃ内の画像が電子カメラのＬＣＤ６画面に表示されている状態で、電子カメラをＹ軸の回りの所定の方向に回動させると、表示領域Ｃは記録された画像の中を仮想的に移動する。そして、位置Ｌ２に移動したとき、ＬＣＤの画面には、位置Ｌ２の表示領域Ｃ内の画像が表示される。電子カメラをＹ軸の回りに回動させる操作を複数回行うことによって、表示領域Ｃは、記録された画像上の任意の位置を移動する。本発明は、例えば、デジタルカメラ等の携帯機器に適用することができる。【選択図】図２２
2008065851.tif 000002
【特許請求の範囲】
【請求項１】
画像、文字、および図形の少なくともいずれか１つを表示する表示手段と、
前記表示手段の移動および回動の少なくともいずれか一方を検出する検出手段と、
前記検出手段により検出された前記表示手段の移動および回動の少なくともいずれか一方に応じて、前記表示手段に表示する表示内容を変更する表示変更手段と
を備え、
前記表示変更手段は、前記表示手段の複数回の移動または回動による移動量または回転量に応じて、前記表示手段に表示する表示内容を変更する
ことを特徴とする情報処理装置。
【請求項２】
所定の被写体の画像を撮像する撮像手段をさらに備え、
前記検出手段は、前記撮像手段の出力に基づき前記表示手段の移動および回動の少なくともいずれか一方を検出する
ことを特徴とする請求項１に記載の情報処理装置。
【請求項３】
前記表示手段は、所定の選択項目が表示されたメニュー画面を表示し、
前記表示変更手段は、前記検出手段により検出された前記表示手段の移動または回動に応じて、前記選択項目のうちの所定の項目が選択されるように、前記メニュー画面の表示を変更する
ことを特徴とする請求項１または請求項２に記載の情報処理装置。
【請求項４】
前記表示変更手段が前記表示手段に表示する表示内容を変更する処理を禁止する禁止手段をさらに備える
ことを特徴とする請求項１乃至３のいずれかに記載の情報処理装置。
【請求項５】
前記表示変更手段は、撮像している前記画像の最もコントラストの高い部分に基づき前記表示手段の移動および回動の少なくともいずれか一方を検出したことに応じて、前記表示手段に表示する表示内容を変更し、
撮像している前記画像にコントラストの高い部分がないと判定された場合、前記被写体に光を照射し撮像する前記画像のコントラストを高める照明手段をさらに備える
ことを特徴とする請求項２に記載の情報処理装置。
【請求項６】
前記検出手段は、方位を検出し、検出した前記方位の時系列的な変化に基づいて、前記表示手段の回動を検出する
ことを特徴とする請求項１に記載の情報処理装置。
【請求項７】
前記検出手段は、電子コンパスにより構成される
ことを特徴とする請求項６に記載の情報処理装置。
【請求項８】
前記撮像手段に前記被写体の画像を撮像させ、前記撮像手段が撮像した前記被写体の画像を前記記憶手段に記憶させるように制御する制御手段をさらに備え、
前記表示変更手段は、前記制御手段が、前記撮像手段に前記被写体の画像を撮像させ、前記撮像手段が撮像した前記被写体の画像を前記記憶手段に記憶させる処理を行っていないとき、前記表示手段に表示する前記表示内容を変更する
ことを特徴とする請求項２に記載の情報処理装置。
【請求項９】
前記表示変更手段は、前記撮像手段の出力に基づき前記表示手段の光軸方向への移動を検出したとき、前記表示手段に表示された表示内容を拡大または縮小する
ことを特徴とする請求項２に記載の情報処理装置。
【請求項１０】
前記禁止手段は、所定のスイッチがオンの間は、移動および回動が検出された場合、前記表示変更手段が前記表示手段に表示する表示内容を変更する処理を禁止する
ことを特徴とする請求項４に記載の情報処理装置。
【請求項１１】
前記禁止手段は、所定のスイッチがオフの間は、移動および回動が検出された場合、前記表示変更手段が前記表示手段に表示する表示内容を変更する処理を禁止する
ことを特徴とする請求項４に記載の情報処理装置。
【請求項１２】
前記表示変更手段は、前記撮像手段の出力に基づき前記表示手段の画面に垂直な所定の直線の回りの回動を検出したとき、前記表示手段に表示された表示内容を所定の角度だけ回転させる
ことを特徴とする請求項２乃至１１のいずれかに記載の情報処理装置。
【請求項１３】
前記表示変更手段は、前記撮像手段の出力に基づき前記表示手段の画面に平行な所定の直線の回りの回動を検出したとき、前記表示手段に表示された表示内容を所定の方向にスクロールさせる
ことを特徴とする請求項２乃至１１のいずれかに記載の情報処理装置。
【請求項１４】
画像、文字、および図形の少なくともいずれか１つを表示する表示手段と、前記表示手段の移動および回動の少なくともいずれか一方を検出する検出手段と、前記表示手段に表示する表示内容を変更する表示変更手段とを備える情報処理装置で使用される記録媒体であって、
前記検出手段により検出された前記表示手段の複数回の移動または回動による移動量または回転量に応じて、前記表示手段に表示する表示内容を変更するように前記表示変更手段を制御するプログラムを記録した
ことを特徴とする記録媒体。
【発明の詳細な説明】
【技術分野】
【０００１】
本発明は、情報処理装置および記録媒体に関し、例えば、装置全体を移動または回動させることにより、装置の画面に表示した画像をスクロールさせたり、ズーミングさせるようにした情報処理装置および記録媒体に関する。
【背景技術】
【０００２】
従来より、画面上に表示した画像をスクロールさせたり、カーソルを移動させたりする場合、ジョイスティックやマウス等のポインティングデバイスを用いて行っている。ジョイスティックを任意の方向に動かすことにより、画像を任意の方向にスクロールさせることができる。また、画面に表示されたカーソルを任意の方向に移動させることができる。同様に、マウスを任意の方向に動かすことにより、画面に表示された画像を任意の方向に移動させたり、画面に表示されたカーソルを任意の方向に移動させることができる。
【発明の開示】
【発明が解決しようとする課題】
【０００３】
しかしながら、携帯機器の画面に表示された画像をスクロールさせたり、メニュー画面の中のカーソルを移動させるような場合、ジョイスティック等を携帯機器に組み込むことが考えられるが、その場合、必ずしも使い勝手がよいとは言えない課題があった。
【０００４】
本発明はこのような状況に鑑みてなされたものであり、携帯機器の画面に表示された画像やメニュー画面を簡単に操作することができるようにするものである。
【課題を解決するための手段】
【０００５】
本発明の一側面の情報記録装置は、画像、文字、および図形の少なくともいずれか１つを表示する表示手段と、前記表示手段の移動および回動の少なくともいずれか一方を検出する検出手段と、前記検出手段により検出された前記表示手段の移動および回動の少なくともいずれか一方に応じて、前記表示手段に表示する表示内容を変更する表示変更手段とを備え、前記表示変更手段は、前記表示手段の複数回の移動または回動による移動量または回転量に応じて、前記表示手段に表示する表示内容を変更することを特徴とする。
【０００６】
前記情報処理装置には、所定の被写体の画像を撮像する撮像手段をさらに設け、前記検出手段には、前記撮像手段の出力に基づき前記表示手段の移動および回動の少なくともいずれか一方を検出させることができる。
【０００７】
前記表示手段には、所定の選択項目が表示されたメニュー画面を表示させ、前記表示変更手段には、前記検出手段により検出された前記表示手段の移動または回動に応じて、前記選択項目のうちの所定の項目が選択されるように、前記メニュー画面の表示を変更させることができる。
【０００８】
前記情報処理装置には、前記表示変更手段が前記表示手段に表示する表示内容を変更する処理を禁止する禁止手段をさらに設けることができる。
【０００９】
前記表示変更手段には、撮像している前記画像の最もコントラストの高い部分に基づき前記表示手段の移動および回動の少なくともいずれか一方を検出したことに応じて、前記表示手段に表示する表示内容を変更させ、前記情報処理装置には、撮像している前記画像にコントラストの高い部分がないと判定された場合、前記被写体に光を照射し撮像する前記画像のコントラストを高める照明手段をさらに設けることができる。
【００１０】
前記検出手段には、方位を検出し、検出した前記方位の時系列的な変化に基づいて、前記表示手段の回動を検出させることができる。
【００１１】
前記検出手段は、電子コンパスにより構成することができる。
【００１２】
前記情報処理装置には、前記撮像手段に前記被写体の画像を撮像させ、前記撮像手段が撮像した前記被写体の画像を前記記憶手段に記憶させるように制御する制御手段をさらに設け、前記表示変更手段には、前記制御手段が、前記撮像手段に前記被写体の画像を撮像させ、前記撮像手段が撮像した前記被写体の画像を前記記憶手段に記憶させる処理を行っていないとき、前記表示手段に表示する前記表示内容を変更させることができる。
【００１３】
前記表示変更手段には、前記撮像手段の出力に基づき前記表示手段の光軸方向への移動を検出したとき、前記表示手段に表示された表示内容を拡大または縮小させることができる。
【００１４】
前記禁止手段には、所定のスイッチがオンの間は、移動および回動が検出された場合、前記表示変更手段が前記表示手段に表示する表示内容を変更する処理を禁止させることができる。
【００１５】
前記禁止手段には、所定のスイッチがオフの間は、移動および回動が検出された場合、前記表示変更手段が前記表示手段に表示する表示内容を変更する処理を禁止させることができる。
【００１６】
前記表示変更手段には、前記撮像手段の出力に基づき前記表示手段の画面に垂直な所定の直線の回りの回動を検出したとき、前記表示手段に表示された表示内容を所定の角度だけ回転させることができる。
【００１７】
前記表示変更手段には、前記撮像手段の出力に基づき前記表示手段の画面に平行な所定の直線の回りの回動を検出したとき、前記表示手段に表示された表示内容を所定の方向にスクロールさせることができる。
【００１８】
本発明の記録媒体の一側面は、画像、文字、および図形の少なくともいずれか１つを表示する表示手段と、前記表示手段の移動および回動の少なくともいずれか一方を検出する検出手段と、前記表示手段に表示する表示内容を変更する表示変更手段とを備える情報処理装置で使用される記録媒体であって、前記検出手段により検出された前記表示手段の複数回の移動または回動による移動量または回転量に応じて、前記表示手段に表示する表示内容を変更するように前記表示変更手段を制御するプログラムを記録したことを特徴とする。
【００１９】
本発明の一側面においては、表示手段に、画像、文字、および図形の少なくともいずれか１つが表示され、表示手段の移動および回動の少なくともいずれか一方が検出され、検出された表示手段の複数回の移動または回動による移動量または回転量に応じて、表示手段に表示する表示内容が変更される。
【発明の効果】
【００２０】
本発明の一側面によれば、装置全体を移動または回転させることにより、画面の表示を変更することができる。従って、携帯機器等の画面の表示内容を変更する場合の操作性を向上させることができる。
【発明を実施するための最良の形態】
【００２１】
以下、本発明の実施の形態を図面を参照して説明する。
【００２２】
図１および図２は、本発明を適用した電子カメラの一実施の形態の構成例を示す斜視図である。本実施の形態の電子カメラにおいては、被写体を撮影する場合において、被写体に向けられる面が面Ｘ１とされ、ユーザ側に向けられる面が面Ｘ２とされている。面Ｘ１の上端部には、被写体の撮影範囲の確認に用いられるファインダ２、被写体の光画像を取り込む撮影レンズ３、および被写体を照明する光を発光する発光部（ストロボ）４が設けられている。
【００２３】
さらに、面Ｘ１には、ストロボ４を発光させて撮影を行うときに、ストロボ４を発光させる前に発光させて赤目を軽減する赤目軽減ＬＥＤ１５、ＣＣＤ２０（図４）の動作を停止させているときに測光を行う測光素子１６、および、ＣＣＤ２０の動作を停止させているときに測色を行う測色素子１７が設けられているまた、ズームスイッチ６０が設けられ、入力された画像を光学的またはデジタル的にズーミングしたり、再生画像をデジタル的にズーミングすることができるようになされている。
【００２４】
一方、面Ｘ１に対向する面Ｘ２の上端部（面Ｘ１のファインダ２、撮影レンズ３、発光部４が形成されている上端部に対応する位置）には、上記ファインダ２、およびこの電子カメラ１に記録されている音声を出力するスピーカ５が設けられている。また、面Ｘ２に形成されているＬＣＤ６および操作キー７は、ファインダ２、撮影レンズ３、発光部４およびスピーカ５よりも、鉛直下側に形成されている。ＬＣＤ６の表面上には、後述するペン型指示装置の接触操作により、指示された位置に対応する位置データを出力する、いわゆるタッチタブレット６Ａが配置されている。
【００２５】
このタッチタブレット６Ａは、ガラス、樹脂等の透明な材料によって構成されており、ユーザは、タッチタブレット６Ａの内側に形成されているＬＣＤ６に表示される画像を、タッチタブレット６Ａを介して観察することができる。
【００２６】
操作キー７は、ＬＣＤ６に記録データを再生表示する場合などに操作されるキーであり、ユーザによる操作（入力）を検知し、ＣＰＵ（central processing unit）３９（図６）に供給するようになされている。
【００２７】
操作キー７のうちのメニューキー７Ａは、ＬＣＤ６上にメニュー画面を表示する場合に操作されるキーである。実行キー７Ｂは、ユーザによって選択された記録情報を再生する場合に操作されるキーである。
【００２８】
キャンセルキー７Ｃは、記録情報の再生処理を中断する場合に操作されるキーである。デリートキー７Ｄは、記録した情報を削除する場合に操作されるキーである。スクロールキー７Ｅは、ＬＣＤ６に記録情報の一覧が表示されている場合において、画面を上下方向にスクロールさせるときに操作されるキーである。
【００２９】
面Ｘ２には、ＬＣＤ６を使用していないときに保護する、摺動自在なＬＣＤカバー１４が設けられている。ＬＣＤカバー１４は、鉛直上方向に移動させた場合、図３に示すように、ＬＣＤ６およびタッチタブレット６Ａを覆うようになされている。また、ＬＣＤカバー１４を鉛直下方向に移動した場合、ＬＣＤ６およびタッチタブレット６Ａが現れるとともに、ＬＣＤカバー１４の腕部１４Ａによって、面Ｙ２に配置された電源スイッチ１１（後述）がオン状態に切り換えられるようになされている。
【００３０】
この電子カメラ１の上面である面Ｚには、音声を集音するマイクロホン８、および図示せぬイヤホンが接続されるイヤホンジャック９が設けられている。
【００３１】
左側面（面Ｙ１）には、被写体を撮像するときに操作されるレリーズスイッチ１０と、撮影時の連写モードを切り換えるときに操作される連写モード切り換えスイッチ１３が設けられている。このレリーズスイッチ１０および連写モード切り換えスイッチ１３は、面Ｘ１の上端部に設けられているファインダ２、撮影レンズ３および発光部４よりも鉛直下側に配置されている。
【００３２】
一方、面Ｙ１に対向する面Ｙ２（右側面）には、音声を録音するときに操作される録音スイッチ１２と、電源スイッチ１１が設けられている。この録音スイッチ１２および電源スイッチ１１は、上記レリーズスイッチ１０および連写モード切り換えスイッチ１３と同様に、面Ｘ１の上端部に設けられているファインダ２、撮影レンズ３および発光部４よりも鉛直下側に配置されている。また、録音スイッチ１２は、面Ｙ１のレリーズスイッチ１０とほぼ同じ高さに形成されており、左右どちらの手で持っても、違和感のないように構成されている。
【００３３】
なお、録音スイッチ１２とレリーズスイッチ１０の高さを、あえて異ならせることにより、一方のスイッチを押す場合に、この押圧力によるモーメントを打ち消すために反対側の側面を指で保持したとき、誤ってこの反対側の側面に設けられたスイッチが押されてしまわないようにしてもよい。
【００３４】
上記連写モード切り換えスイッチ１３は、ユーザがレリーズスイッチ１０を押して被写体を撮影するとき、被写体を１コマだけ撮影するのか、または、所定の複数コマ撮影するのかを設定する場合に用いられる。例えば、連写モード切り換えスイッチ１３の指針が「Ｓ」と印刷された位置に切り換えられている（すなわち、Ｓモードに切り換えられている）場合において、レリーズスイッチ１０が押されると、１コマだけ撮影が行われるようになされている。
【００３５】
また、連写モード切り換えスイッチ１３の指針が「Ｌ」と印刷された位置に切り換えられている（すなわち、Ｌモードに切り換えられている）場合において、レリーズスイッチ１０が押されると、レリーズスイッチ１０の押されている期間中、１秒間に８コマの撮影が行われるようになされている（すなわち、低速連写モードになる）。
【００３６】
さらに、連写モード切り換えスイッチ１３の指針が「Ｈ」と印刷された位置に切り換えられている（すなわち、Ｈモードに切り換えられている）場合において、レリーズスイッチ１０が押されると、レリーズスイッチ１０の押されている期間中、１秒間に３０コマの撮影が行われるようになされている（すなわち、高速連写モードになる）。
【００３７】
次に、電子カメラ１の内部の構成について説明する。図４は、図１および図２に示す電子カメラの内部の構成例を示す斜視図である。ＣＣＤ２０は、撮影レンズ３の後段（面Ｘ２側）に設けられており、撮影レンズ３を介して結像する被写体の光画像を電気信号に光電変換するようになされている。
【００３８】
ファインダ内表示素子２６は、ファインダ２の視野内に配置され、ファインダ２を介して被写体を視ているユーザに対して、各種機能の設定状態などを表示するようになされている。
【００３９】
ＬＣＤ６の鉛直下側には、円柱形状の４本のバッテリ（単３の乾電池）２１が縦に並べられており、このバッテリ２１に蓄積されている電力が各部に供給されるようになされている。さらに、ＬＣＤ６の鉛直下側には、バッテリ２１とともに、発光部４に光を発光させるための電荷を蓄積するコンデンサ２２が配置されている。
【００４０】
回路基板２３には、この電子カメラ１の各部を制御する、種々の制御回路が形成されている。また、回路基板２３と、ＬＣＤ６およびバッテリ２１の間には、挿抜可能なメモリカード２４が設けられており、この電子カメラ１に入力される各種の情報が、それぞれ、メモリカード２４の予め設定されている領域に記録されるようになされている。
【００４１】
さらに、電源スイッチ１１に隣接して配置されているＬＣＤスイッチ２５は、その突起部が押圧されている間のみオン状態となるスイッチであり、ＬＣＤカバー１４を鉛直下方向に移動させた場合、図５（ａ）に示すように、ＬＣＤカバー１４の腕部１４Ａによって、電源スイッチ１１とともにオン状態に切り換えられるようになされている。
【００４２】
なお、ＬＣＤカバー１４が鉛直上方向に位置する場合、電源スイッチ１１は、ＬＣＤスイッチ２５とは独立に、ユーザによって操作される。例えば、ＬＣＤカバー１４が閉じられ、電子カメラ１が使用されていない場合、図５（ｂ）に示すように、電源スイッチ１１およびＬＣＤスイッチ２５がオフ状態になっている。この状態において、ユーザが電源スイッチ１１を図５（ｃ）に示すように、オン状態に切り換えると、電源スイッチ１１はオン状態となるが、ＬＣＤスイッチ２５は、オフ状態のままである。一方、図５（ｂ）に示すように、電源スイッチ１１およびＬＣＤスイッチ２５がオフ状態になっているとき、ＬＣＤカバー１４が開かれると、図５（ａ）に示すように、電源スイッチ１１およびＬＣＤスイッチ２５がオン状態となる。そして、この後、ＬＣＤカバー１４を閉じると、ＬＣＤスイッチ２５だけが、図５（ｃ）に示すように、オフ状態となる。
【００４３】
なお、本実施の形態においては、メモリカード２４は挿抜可能とされているが、回路基板２３上にメモリを設け、そのメモリに各種情報を記録可能とするようにしてもよい。また、メモリ（メモリカード２４）に記録されている各種情報を、図示せぬインタフェースを介して外部のパーソナルコンピュータ等に出力することができるようにしてもよい。
【００４４】
次に、本実施の形態の電子カメラ１の内部の電気的構成例を、図６のブロック図を参照して説明する。複数の画素を備えているＣＣＤ２０は、各画素に結像した光画像を画像信号（電気信号）に光電変換するようになされている。デジタルシグナルプロセッサ（以下、ＤＳＰという）３３は、ＣＣＤ２０にＣＣＤ水平駆動パルスを供給するとともに、ＣＣＤ駆動回路３４を制御し、ＣＣＤ２０にＣＣＤ垂直駆動パルスを供給させるようになされている。
【００４５】
画像処理部３１は、ＣＰＵ３９に制御され、ＣＣＤ２０が光電変換した画像信号を所定のタイミングでサンプリングし、そのサンプリングした信号を、所定のレベルに増幅するようになされている。ＣＰＵ３９は、ＲＯＭ（read only memory）４３に記憶されている制御プログラムに従って、各部を制御するようになされている。アナログ／デジタル変換回路（以下、Ａ／Ｄ変換回路という）３２は、画像処理部３１でサンプリングした画像信号をデジタル化してＤＳＰ３３に供給するようになされている。
【００４６】
ＤＳＰ３３は、バッファメモリ３６およびメモリカード２４に接続されるデータバスを制御し、Ａ／Ｄ変換回路３２より供給された画像データをバッファメモリ３６に一旦記憶させた後、バッファメモリ３６に記憶した画像データを読み出し、その画像データを、メモリカード２４に記録するようになされている。
【００４７】
また、ＤＳＰ３３は、Ａ／Ｄ変換回路３２より供給された画像データをフレームメモリ３５に記憶させ、ＬＣＤ６に表示させるとともに、メモリカード２４から撮影画像データを読み出し、その撮影画像データを伸張した後、伸張後の画像データをフレームメモリ３５に記憶させ、ＬＣＤ６に表示させるようになされている。
【００４８】
さらに、ＤＳＰ３３は、電子カメラ１の起動時において、ＣＣＤ２０の露光レベルが適正な値になるまで、露光時間（露出値）を調節しながら、ＣＣＤ２０を繰り返し動作させるようになされている。このとき、ＤＳＰ３３が、最初に、測光回路５１を動作させ、測光素子１６により検出された受光レベルに対応して、ＣＣＤ２０の露光時間の初期値を算出するようにしてもよい。このようにすることにより、ＣＣＤ２０の露光時間の調節を短時間で行うことができる。
【００４９】
この他、ＤＳＰ３３は、メモリカード２４への記録、伸張後の画像データのバッファメモリ３６への記憶などにおけるデータ入出力のタイミング管理を行うようになされている。
【００５０】
バッファメモリ３６は、メモリカード２４に対するデータの入出力の速度と、ＣＰＵ３９やＤＳＰ３３などにおける処理速度の違いを緩和するために利用される。
【００５１】
マイクロホン８は、音声情報を入力し（音声を集音し）、その音声情報をＡ／ＤおよびＤ／Ａ変換回路４２に供給するようになされている。
【００５２】
Ａ／ＤおよびＤ／Ａ変換回路４２は、マイクロホン８により検出された音声に対応するアナログ信号をデジタル信号に変換した後、そのデジタル信号をＣＰＵ３９に供給するとともに、ＣＰＵ３９より供給された音声データをアナログ化し、アナログ化した音声信号をスピーカ５に出力するようになされている。
【００５３】
測光素子１６は、被写体およびその周囲の光量を測定し、その測定結果を測光回路５１に出力するようになされている。測光回路５１は、測光素子１６より供給された測光結果であるアナログ信号に対して所定の処理を施した後、デジタル信号に変換し、そのデジタル信号をＣＰＵ３９に出力するようになされている。
【００５４】
測色素子１７は、被写体およびその周囲の色温度を測定し、その測定結果を測色回路５２に出力するようになされている。測色回路５２は、測色素子１７より供給された測色結果であるアナログ信号に対して所定の処理を施した後、デジタル信号に変換し、そのデジタル信号をＣＰＵ３９に出力するようになされている。
【００５５】
タイマ４５は、時計回路を内蔵し、現在の時刻に対応するデータをＣＰＵ３９に出力するようになされている。
【００５６】
絞り駆動回路５３は、絞り５４の開口径を所定の値に設定するようになされている。絞り５４は、撮影レンズ３とＣＣＤ２０の間に配置され、撮影レンズ３からＣＣＤ２０に入射する光の開口を変更するようになされている。
【００５７】
ＣＰＵ３９は、ＬＣＤスイッチ２５からの信号に応じて、ＬＣＤカバー１４が開いているときにおいては、測光回路５１および測色回路５２の動作を停止させ、ＬＣＤカバー１４が閉じているときにおいては、測光回路５１および測色回路５２を動作させるとともに、レリーズスイッチ１０が半押し状態になるまで、ＣＣＤ２０の動作（例えば電子シャッタ動作）を停止させるようになされている。
【００５８】
ＣＰＵ３９は、ＣＣＤ２０の動作を停止させているとき、測光回路５１および測色回路５２を制御し、測光素子１６の測光結果を受け取るとともに、測色素子１７の測色結果を受け取るようになされている。
【００５９】
そして、ＣＰＵ３９は、所定のテーブルを参照して、測色回路５２より供給された色温度に対応するホワイトバランス調整値を算出し、そのホワイトバランス調整値を画像処理部３１に供給するようになされている。
【００６０】
即ち、ＬＣＤカバー１４が閉じているときにおいては、ＬＣＤ６が電子ビューファインダとして使用されないので、ＣＣＤ２０の動作を停止させるようにする。ＣＣＤ２０は多くの電力を消費するので、このようにＣＣＤ２０の動作を停止させることにより、バッテリ２１の電力を節約することができる。
【００６１】
また、ＣＰＵ３９は、ＬＣＤカバー１４が閉じているとき、レリーズスイッチ１０が操作されるまで（レリーズスイッチ１０が半押し状態になるまで）、画像処理部３１が各種処理を行わないように、画像処理部３１を制御するようになされている。
【００６２】
さらに、ＣＰＵ３９は、ＬＣＤカバー１４が閉じているとき、レリーズスイッチ１０が操作されるまで（レリーズスイッチ１０が半押し状態になるまで）、絞り駆動回路５３が絞り５４の開口径を変更などの動作を行わないように、絞り駆動回路５３を制御するようになされている。
【００６３】
また、ＣＰＵ３９は、ストロボ駆動回路３７を制御して、ストロボ４を適宜発光させるようになされている他、赤目軽減ＬＥＤ駆動回路３８を制御して、ストロボ４を発光させる前に、赤目軽減ＬＥＤ１５を適宜発光させるようになされている。
【００６４】
なお、ＣＰＵ３９は、ＬＣＤカバー１４が開いているとき（即ち、電子ビューファインダが利用されているとき）においては、ストロボ４を発光させないようにすることができる。このようにすることにより、電子ビューファインダに表示されている画像の状態で、被写体を撮影することができる。
【００６５】
ＣＰＵ３９は、タイマ４５より供給される日時データに従って、撮影した日時の情報を画像データのヘッダ情報として、メモリカード２４の撮影画像記録領域に記録するようになされている。（すなわち、メモリカード２４の撮影画像記録領域に記録される撮影画像データには、撮影日時のデータが付随している）。
【００６６】
また、ＣＰＵ３９は、デジタル化された音声情報を圧縮した後、デジタル化および圧縮化された音声データを一旦、バッファメモリ３６に記憶させた後、メモリカード２４の所定の領域（音声記録領域）に記録するようになされている。また、このとき、メモリカード２４の音声記録領域には、録音日時のデータが音声データのヘッダ情報として記録されるようになされている。
【００６７】
ＣＰＵ３９は、レンズ駆動回路３０を制御し、撮影レンズ３を移動させることにより、オートフォーカス動作を行う他、絞り駆動回路５３を制御して、撮影レンズ３とＣＣＤ２０の間に配置されている絞り５４の開口径を変更させるようになされている。
【００６８】
さらに、ＣＰＵ３９は、ファインダ内表示回路４０を制御して、各種動作における設定などをファインダ内表示素子２６に表示させるようになされている。
【００６９】
ＣＰＵ３９は、インタフェース（Ｉ／Ｆ）４８を介して、所定の外部装置（図示せず）と所定のデータの授受を行うようになされている。
【００７０】
また、ＣＰＵ３９は、操作キー７からの信号を受け取り、適宜処理するようになされている。
【００７１】
ユーザの操作するペン（ペン型指示部材）４１によってタッチタブレット６Ａの所定の位置が押圧されると、ＣＰＵ３９は、タッチタブレット６Ａの押圧された位置のＸ−Ｙ座標を読み取り、その座標データ（後述するメモ情報）を、バッファメモリ３６に蓄積させるようになされている。また、ＣＰＵ３９は、バッファメモリ３６に蓄積したメモ情報を、メモ情報入力日時のヘッダ情報とともに、メモリカード２４のメモ情報記録領域に記録するようになされている。
【００７２】
次に、本実施の形態の電子カメラ１の各種動作について説明する。最初に、本装置のＬＣＤ６における電子ビューファインダ動作について説明する。
【００７３】
ユーザがレリーズスイッチ１０を半押し状態にすると、ＤＳＰ３３は、ＣＰＵ３９より供給される、ＬＣＤスイッチ２５の状態に対応する信号の値から、ＬＣＤカバー１４が開いているか否かを判断し、ＬＣＤカバー１４が閉じていると判断した場合、電子ビューファインダ動作を行わない。この場合、ＤＳＰ３３は、レリーズスイッチ１０が操作されるまで、処理を停止する。
【００７４】
なお、ＬＣＤカバー１４が閉じている場合、電子ビューファインダ動作を行わないので、ＣＰＵ３９は、ＣＣＤ２０、画像処理部３１、および、絞り駆動回路５３の動作を停止させる。そして、ＣＰＵ３９は、ＣＣＤ２０を停止させる代わりに、測光回路５１および測色回路５２を動作させ、それらの測定結果を、画像処理部３１に供給する。画像処理部３１は、それらの測定結果の値を、ホワイトバランス制御や輝度値の制御を行うときに利用する。
【００７５】
また、レリーズスイッチ１０が操作された場合、ＣＰＵ３９は、ＣＣＤ２０および絞り駆動回路５３の動作を行わせる。
【００７６】
一方、ＬＣＤカバー１４が開いている場合、ＣＣＤ２０は、所定の時間毎に、所定の露光時間で、電子シャッタ動作を行い、撮影レンズ３によって集光された被写体の光画像を光電変換し、その動作で得られた画像信号を画像処理部３１に出力する。
【００７７】
画像処理部３１は、ホワイトバランス制御および輝度値の制御を行い、その画像信号に対して所定の処理を施した後、画像信号をＡ／Ｄ変換回路３２に出力する。なお、ＣＣＤ２０が動作しているときは、画像処理部３１は、ＣＰＵ３９により、ＣＣＤ２０の出力を利用して算出された、ホワイトバランス制御および輝度値の制御に利用される調整値を利用する。
【００７８】
そして、Ａ／Ｄ変換回路３２は、その画像信号（アナログ信号）を、デジタル信号である画像データに変換し、その画像データをＤＳＰ３３に出力する。
【００７９】
ＤＳＰ３３は、その画像データをフレームメモリ３５に出力し、ＬＣＤ６にその画像データに対応する画像を表示させる。
【００８０】
このように、電子カメラ１においては、ＬＣＤカバー１４が開いている場合、所定の時間間隔で、ＣＣＤ２０が電子シャッタ動作し、その度に、ＣＣＤ２０から出力された信号を画像データに変換し、その画像データをフレームメモリ３５に出力して、ＬＣＤ６に被写体の画像を絶えず表示させることで、電子ビューファインダ動作を行う。
【００８１】
また、上述のように、ＬＣＤカバー１４が閉じている場合においては、電子ビューファインダ動作を行わず、ＣＣＤ２０、画像処理部３１、および、絞り駆動回路５３の動作を停止させ、消費電力を節約している。
【００８２】
次に、本装置による被写体の撮影について説明する。
【００８３】
第１に、面Ｙ１に設けられている連写モード切り換えスイッチ１３が、Ｓモード（１コマだけ撮影を行うモード）に切り換えられている場合について説明する。最初に、図１に示す電源スイッチ１１を「ＯＮ」と印刷されている側に切り換えて電子カメラ１に電源を投入する。ファインダ２で被写体を確認し、面Ｙ１に設けられているレリーズスイッチ１０を押すと、被写体の撮影処理が開始される。
【００８４】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００８５】
ファインダ２で観察される被写体の光画像が撮影レンズ３によって集光され、複数の画素を備えるＣＣＤ２０に結像する。ＣＣＤ２０に結像した被写体の光画像は、各画素で画像信号に光電変換され、画像処理部３１によってサンプリングされる。画像処理部３１によってサンプリングされた画像信号は、Ａ／Ｄ変換回路３２に供給され、そこでデジタル化されてＤＳＰ３３に出力される。
【００８６】
ＤＳＰ３３は、その画像データをバッファメモリ３６に一旦出力した後、バッファメモリ３６より、その画像データを読み出し、離散的コサイン変換、量子化およびハフマン符号化を組み合わせたＪＰＥＧ（Joint Photographic Experts Group）方式に従って圧縮し、メモリカード２４の撮影画像記録領域に記録させる。このとき、メモリカード２４の撮影画像記録領域には、撮影日時のデータが、撮影画像データのヘッダ情報として記録される。
【００８７】
なお、連写モード切り換えスイッチ１３がＳモードに切り換えられている場合においては、１コマの撮影だけが行われ、レリーズスイッチ１０が継続して押されても、それ以降の撮影は行われない。また、レリーズスイッチ１０が継続して押されると、ＬＣＤカバー１４が開いている場合、ＬＣＤ６に、撮影した画像が表示される。
【００８８】
第２に、連写モード切り換えスイッチ１３がＬモード（１秒間に８コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【００８９】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００９０】
ファインダ２で観察される被写体の光画像は、撮影レンズ３によって集光され、複数の画素を備えるＣＣＤ２０に結像する。ＣＣＤ２０に結像した被写体の光画像は、各画素で画像信号に光電変換され、画像処理部３１によって１秒間に８回の割合でサンプリングされる。また、このとき、画像処理部３１は、ＣＣＤ２０の全画素の画像電気信号のうち４分の３の画素を間引く。
【００９１】
すなわち、画像処理部３１は、マトリクス状に配列されているＣＣＤ２０の画素を、図７に示すように、２×２画素（４つの画素）を１つとする領域に分割し、その１つの領域から、所定の位置に配置されている１画素の画像信号をサンプリングし、残りの３画素を間引く。
【００９２】
例えば、第１回目のサンプリング時（１コマ目）においては、各領域の左上の画素ａがサンプリングされ、その他の画素ｂ，ｃ，ｄが間引かれる。第２回目のサンプリング時（２コマ目）においては、各領域の右上の画素ｂがサンプリングされ、その他の画素ａ，ｃ，ｄが間引かれる。以下、第３回目、第４回目のサンプリング時においては、左下の画素ｃ、右下の画素ｄが、それぞれ、サンプリングされ、その他の画素が間引かれる。つまり、４コマ毎に各画素がサンプリングされる。
【００９３】
画像処理部３１によってサンプリングされた画像信号（ＣＣＤ２０の全画素中の４分の１の画素の画像信号）は、Ａ／Ｄ変換回路３２に供給され、そこでデジタル化されてＤＳＰ３３に出力される。
【００９４】
ＤＳＰ３３は、デジタル化された画像信号をバッファメモリ３６に一旦出力した後、その画像信号を読み出し、ＪＰＥＧ方式に従って圧縮した後、デジタル化および圧縮処理された撮影画像データを、メモリカード２４の撮影画像記録領域に記録する。このとき、メモリカード２４の撮影画像記録領域には、撮影日時のデータが、撮影画像データのヘッダ情報として記録される。
【００９５】
第３に、連写モード切り換えスイッチ１３がＨモード（１秒間に３０コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【００９６】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００９７】
ファインダ２で観察される被写体の光画像が撮影レンズ３によって集光され、ＣＣＤ２０に結像する。複数の画素を備えるＣＣＤ２０に結像した被写体の光画像は、各画素で画像信号に光電変換され、画像処理部３１によって１秒間に３０回の割合でサンプリングされる。また、このとき、画像処理部３１は、ＣＣＤ２０の全画素の画像電気信号のうち９分の８の画素を間引く。
【００９８】
すなわち、画像処理部３１は、マトリクス状に配列されているＣＣＤ２０の画素を、図８に示すように、３×３画素を１つとする領域に分割し、その１つの領域から、所定の位置に配置されている１画素の画像電気信号を、１秒間に３０回の割合でサンプリングし、残りの８画素を間引く。
【００９９】
例えば、第１回目のサンプリング時（１コマ目）においては、各領域の左上の画素ａがサンプリングされ、その他の画素ｂ乃至ｉが間引かれる。第２回目のサンプリング時（２コマ目）においては、画素ａの右側に配置されている画素ｂがサンプリングされ、その他の画素ａ，ｃ乃至ｉが間引かれる。以下、第３回目以降のサンプリング時においては、画素ｃ、画素ｄ・・・が、それぞれ、サンプリングされ、その他の画素が間引かれる。つまり、９コマ毎に各画素がサンプリングされる。
【０１００】
画像処理部３１によってサンプリングされた画像信号（ＣＣＤ２０の全画素中の９分の１の画素の画像信号）は、Ａ／Ｄ変換回路３２に供給され、そこでデジタル化されてＤＳＰ３３に出力される。
【０１０１】
ＤＳＰ３３は、デジタル化された画像信号をバッファメモリ３６に一旦出力した後、その画像信号を読み出し、ＪＰＥＧ方式に従って圧縮した後、デジタル化および圧縮処理された撮影画像データを、撮影日時のヘッダ情報を付随して、メモリカード２４の撮影画像記録領域に記録する。
【０１０２】
なお、必要に応じて、ストロボ４を動作させ、被写体に光を照射させることもできる。ただし、ＬＣＤカバー１４が開いているとき、即ち、ＬＣＤ６が電子ビューファインダ動作を行っているとき、ＣＰＵ３９は、ストロボ４を、発光させないように制御することができる。
【０１０３】
次に、タッチタブレット６Ａから２次元の情報（ペン入力情報）を入力する場合の動作について説明する。
【０１０４】
タッチタブレット６Ａがペン４１のペン先で押圧されると、接触した箇所のＸ−Ｙ座標が、ＣＰＵ３９に入力される。このＸ−Ｙ座標は、バッファメモリ３６に記憶される。また、フレームメモリ３５における上記Ｘ−Ｙ座標の各点に対応した箇所にデータを書き込み、ＬＣＤ６における上記Ｘ−Ｙ座標に、ペン４１の接触に対応したメモを表示させることができる。
【０１０５】
上述したように、タッチタブレット６Ａは、透明部材によって構成されているので、ユーザは、ＬＣＤ６上に表示される点（ペン４１のペン先で押圧された位置の点）を観察することができ、あたかもＬＣＤ６上に直接ペン入力をしたかのように感じることができる。また、ペン４１をタッチタブレット６Ａ上で移動させると、ＬＣＤ６上には、ペン４１の移動に伴う線が表示される。さらに、ペン４１をタッチタブレット６Ａ上で断続的に移動させると、ＬＣＤ６上には、ペン４１の移動に伴う破線が表示される。以上のようにして、ユーザは、タッチタブレット６Ａ（ＬＣＤ６）に所望の文字、図形等のメモ情報を入力する。
【０１０６】
また、ＬＣＤ６上に撮影画像が表示されている場合において、ペン４１によってメモ情報が入力されると、このメモ情報が、撮影画像情報とともに、フレームメモリ３５で合成され、ＬＣＤ６上に同時に表示される。
【０１０７】
なお、ユーザは、所定のパレット１００を操作することにより、ＬＣＤ６上に表示されるメモの色を、黒、白、赤、青等の色から選択することができる。
【０１０８】
ペン４１によるタッチタブレット６Ａへのメモ情報の入力後、操作キー７の実行キー７Ｂが押されると、バッファメモリ３６に蓄積されているメモ情報が、入力日時のヘッダ情報とともにメモリカード２４に供給され、メモリカード２４のメモ情報記録領域に記録される。
【０１０９】
なお、メモリカード２４に記録されるメモ情報は、圧縮処理の施された情報である。タッチタブレット６Ａに入力されたメモ情報は空間周波数成分の高い情報を多く含んでいるので、上記撮影画像の圧縮に用いられるＪＰＥＧ方式によって圧縮処理を行うと、圧縮効率が悪く情報量が小さくならず、圧縮および伸張に必要とされる時間が長くなってしまう。さらに、ＪＰＥＧ方式による圧縮は、非可逆圧縮であるので、情報量の少ないメモ情報の圧縮には適していない（伸張してＬＣＤ６上に表示した場合、情報の欠落に伴うギャザ、にじみが際だってしまうため）。
【０１１０】
そこで、本実施の形態においては、ファックス等において用いられるランレングス法によって、メモ情報を圧縮するようにしている。ランレングス法とは、メモ画面を水平方向に走査し、黒、白、赤、青等の各色の情報（点）の継続する長さ、および無情報（ペン入力のない部分）の継続する長さを符号化することにより、メモ情報を圧縮する方法である。
【０１１１】
このランレングス法を用いることにより、メモ情報を最小に圧縮することができ、また、圧縮されたメモ情報を伸張した場合においても、情報の欠落を抑制することが可能になる。なお、メモ情報は、その情報量が比較的少ない場合には、圧縮しないようにすることもできる。
【０１１２】
また、上述したように、ＬＣＤ６上に撮影画像が表示されている場合において、ペン入力を行うと、撮影画像データとペン入力のメモ情報がフレームメモリ３５で合成され、撮影画像とメモの合成画像がＬＣＤ６上に表示される。その一方で、メモリカード２４においては、撮影画像データは、撮影画像記録領域に記録され、メモ情報は、メモ情報記録領域に記録される。このように、２つの情報が、各々異なる領域に記録されるので、ユーザは、撮影画像とメモの合成画像から、いずれか一方の画像（例えばメモ）を削除することができ、さらに、各々の画像情報を個別の圧縮方法で圧縮することもできる。
【０１１３】
メモリカード２４の音声記録領域、撮影画像記録領域、またはメモ情報記録領域にデータを記録した場合、図９に示すように、ＬＣＤ６にその一覧表を表示させることができる。
【０１１４】
図９に示すＬＣＤ６の表示画面上においては、情報を記録した時点の年月日（記録年月日）（この場合、１９９６年１１月１日）が画面の上端部に表示され、その記録年月日に記録された情報の番号と記録時刻が画面の左側に表示されている。
【０１１５】
記録時刻の右側には、サムネイル画像が表示されている。このサムネイル画像は、メモリカード２４に記録された撮影画像データの各画像データのビットマップデータを間引いて（縮小して）作成されたものである。この表示のある情報は、撮影画像情報を含む情報である。つまり、「１０時１６分」、および「１０時２１分」に記録（入力）された情報には、撮影画像情報が含まれており、それ以外の時間に記録された情報には画像情報が含まれていない。
【０１１６】
また、メモアイコン「□」は、線画情報として所定のメモが記録されていることを表している。
【０１１７】
サムネイル画像の表示領域の右側には、音声アイコン（音符）が表示され、その右隣りには録音時間（単位は秒）が表示されている（音声情報が入力されていない場合には、これらは表示されない）。
【０１１８】
ユーザは、図９に示すように、ＬＣＤ６に表示された一覧表の中の所望の音声アイコンを、ペン４１のペン先で押圧して再生する情報を選択指定し、図２に示す実行キー７Ｂをペン４１のペン先で押圧することにより、選択した情報を再生する。
【０１１９】
例えば、図９に示す「１０時１６分」の表示されている音声アイコンがペン４１によって押圧されると、ＣＰＵ３９は、選択された録音日時（１０時１６分）に対応する音声データをメモリカード２４から読み出し、その音声データを伸張した後、Ａ／ＤおよびＤ／Ａ変換回路４２に供給する。Ａ／ＤおよびＤ／Ａ変換回路４２は、供給された音声データをアナログ化した後、スピーカ５を介して再生する。
【０１２０】
メモリカード２４に記録した撮影画像データを再生する場合、ユーザは、所望のサムネイル画像を、ペン４１のペン先で押圧することによりその情報を選択し、実行キー７Ｂを押して選択した情報を再生させる。
【０１２１】
即ち、ＣＰＵ３９は、選択されたサムネイル画像の撮影日時に対応する撮影画像データをメモリカード２４から読み出すように、ＤＳＰ３３に指示する。ＤＳＰ３３は、メモリカード２４より読み出した上記撮影画像データ（圧縮されている撮影画像データ）を伸張し、この撮影画像データをビットマップデータとしてフレームメモリ３５に蓄積させ、ＬＣＤ６に表示させる。
【０１２２】
Ｓモードで撮影された画像は、ＬＣＤ６上に、静止画像として表示される。この静止画像は、ＣＣＤ２０の全ての画素の画像信号を再生したものであることはいうまでもない。
【０１２３】
Ｌモードで撮影された画像は、ＬＣＤ６上において、１秒間に８コマの割合で連続して表示される。このとき、各コマに表示される画素数は、ＣＣＤ２０の全画素数の４分の１である。
【０１２４】
通常、人間の目は、静止画像の解像度の劣化に対しては敏感に反応するため、静止画像の画素を間引くことは、ユーザに画質の劣化として捉えられてしまう。しかしながら、撮影時の連写速度が上がり、Ｌモードにおいて１秒間に８コマ撮影され、この画像が１秒間に８コマの速さで再生された場合においては、各コマの画素数がＣＣＤ２０の画素数の４分の１になるが、人間の目は１秒間に８コマの画像を観察するので、１秒間に人間の目に入る情報量は、静止画像の場合に比べて２倍になる。
【０１２５】
すなわち、Ｓモードで撮影された画像の１コマの画素数を１とすると、Ｌモードで撮影された画像の１コマの画素数は１／４となる。Ｓモードで撮影された画像（静止画像）がＬＣＤ６に表示された場合、１秒間に人間の目に入る情報量は１（＝（画素数１）×（コマ数１））となる。一方、Ｌモードで撮影された画像がＬＣＤ６に表示された場合、１秒間に人間の目に入る情報量は２（＝（画素数１／４）×（コマ数８））となる（すなわち、人間の目には、静止画像の２倍の情報が入る）。従って、１コマ中の画素の数を４分の１にしても、再生時において、ユーザは、画質の劣化をさほど気にすることなく再生画像を観察することができる。
【０１２６】
さらに、本実施の形態においては、各コマ毎に異なる画素をサンプリングし、そのサンプリングした画素をＬＣＤ６に表示するようにしているので、人間の目に残像効果が起こり、１コマ当たり４分の３画素を間引いたとしても、ユーザは、画質の劣化をさほど気にすることなくＬＣＤ６に表示されるＬモードで撮影された画像を観察することができる。
【０１２７】
また、Ｈモードで撮影された画像は、ＬＣＤ６上において、１秒間に３０コマの割合で連続して表示される。このとき、各コマに表示される画素数は、ＣＣＤ２０の全画素数の９分の１であるが、Ｌモードの場合と同様の理由で、ユーザは、画質の劣化をさほど気にすることなくＬＣＤ６に表示されるＨモードで撮影された画像を観察することができる。
【０１２８】
本実施の形態においては、ＬモードおよびＨモードで被写体を撮像する場合、画像処理部３１が、再生時における画質の劣化が気にならない程度にＣＣＤ２０の画素を間引くようにしているので、ＤＳＰ３３の負荷を低減することができ、ＤＳＰ３３を、低速度、低電力で作動させることができる。また、このことにより、装置の低コスト化および低消費電力化が可能になる。
【０１２９】
ところで、本実施の形態においては、既述のように、被写体の光画像を撮影するだけでなく、メモ（線画）情報を記録することも可能である。本実施の形態においては、これらの情報を入力するモード（撮影モードおよびメモ入力モード）を具備しており、ユーザの操作に応じてこれらのモードが適宜選択され、情報の入力がスムーズに実行されるようになされている。
【０１３０】
次に、電子カメラ１を手で持って、電子カメラ１を移動させたり回動させたりすることによって、電子カメラ１の画面に表示された画像をスクロールさせたり、カーソルを移動させる方法について説明する。
【０１３１】
ここで、電子カメラ１を回動させる回転軸を図１０に示すように定義する。すなわち、電子カメラ１の中心から面Ｚの中心を通る直線をＹ軸とし、電子カメラ１の中心から面Ｙ２の中心を通る直線をＸ軸とする。そして、ユーザは、電子カメラ１をこの２軸の回りに回動させるものとする。
【０１３２】
図１１は、図６のＣＣＤ２０によって撮像された画像に基づいて、電子カメラ１の移動および回動を検出する場合の処理手順を示すフローチャートである。最初に、ステップＳ１において、ＣＣＤ２０による画像の取り込みを行う。すなわち、ＣＰＵ３９は、画像処理部３１を制御し、ＣＣＤ２０が光電変換した画像信号を所定のタイミングでサンプリングする。サンプリングされた画像信号は、Ａ／Ｄ変換回路３２においてディジタルの画像データに変換され、ＤＳＰ３３により一旦バッファメモリ３６に供給される。そして、ＤＳＰ３３によりバッファメモリ３６に記憶された画像データが読み出され、圧縮処理が施された後、メモリカード２４に供給され、記憶される。
【０１３３】
次に、ステップＳ２に進み、ＣＰＵ３９により、ステップＳ１において取り込まれた画像のコントラストが十分であるか否かが判定される。すなわち、取り込まれた画像の中から、コントラストが最も高い部分を検出することができるか否かが判定される。例えば、背景が真っ暗な場合、コントラストのある画像を取り込むことはできない。取り込んだ画像のコントラストの最も高い部分を検出することができると判定された場合、ステップＳ５に進む。
【０１３４】
一方、コントラストの最も高い部分を検出することができないと判定された場合、ステップＳ３に進み、ＣＰＵ３９は赤目軽減ＬＥＤ駆動回路３８を制御し、赤目軽減ＬＥＤ１５を点灯させる。これにより、電子カメラ１の面Ｘ１側にある物体に対して光が照射される。次に、ステップＳ４において、再度、上述した場合と同様にして、ＣＰＵ３９の制御により、ＣＣＤ２０による画像の取り込みが行われる。このとき、赤目軽減ＬＥＤ１５が点灯しているので、取り込まれた画像にはコントラストがあり、コントラストの最も高い部分を検出することができる。ＣＣＤ２０による画像の取り込みが終了すると、ＣＰＵ３９は、赤目軽減ＬＥＤ駆動回路３８を制御し、赤目軽減ＬＥＤ１５を消灯する。
【０１３５】
ステップＳ５においては、ＣＰＵ３９により、メモリカード２４に取り込まれた画像の中のコントラストの最も高い部分が検出され、ステップＳ６において、その部分の画面上での座標値Ｐ1（Ｐx，Ｐy）が、例えばバッファメモリ３６に記憶される。
【０１３６】
次に、ステップＳ７において、前回記憶しておいた最もコントラストの高い部分の座標値Ｐ0があるか否かが判定される。前回記憶しておいた座標値Ｐ0がないと判定された場合、ステップＳ１に戻り、ステップＳ１以降の処理が再度実行される。ステップＳ１乃至Ｓ７が実行される周期は、例えば、画像を取り込む周期に合わせて３０ヘルツ（Ｈｚ）とすることができる。従って、赤目軽減ＬＥＤ１５は３０ヘルツ（Ｈｚ）の周期で間欠的に点滅することになる。
【０１３７】
また、背景が真っ暗な場合、赤目軽減ＬＥＤ１５の代わりに、他の図示せぬ照明装置を用いて背景に照明光をあて、ＣＣＤ２０によるコントラストのある画像の取り込みを可能にするようにすることもできる。
【０１３８】
一方、前回記憶しておいた座標値Ｐ0があると判定された場合、ステップＳ８
に進み、前回記憶しておいた座標値Ｐ0と、いま検出した座標値Ｐ1との差ΔＰ（ΔＰx，ΔＰy）を求める。
【０１３９】
次に、ステップＳ９に進み、差ΔＰ（ΔＰx，ΔＰy）に対応する所定の方向に、所定の画素数だけ、画面に表示された再生画像をスクロールさせる。
【０１４０】
例えば、ＣＣＤ２０の水平方向の画素数が６４０、ＬＣＤ６の水平方向の画素数が２８０であり、ＣＣＤ２０によって撮影可能な撮影範囲を全てＬＣＤ６に表示することができるように構成されているものとする。そして、例えば、電子カメラ１が右に振られ、ＣＣＤ２０によって検出された被写体像が、左にＣＣＤ２０の画素にして水平方向の画素数の１／１０である６４画素分だけ移動したことが検出された場合、ＬＣＤ６上の画像も水平方向の画素数の１／１０である２８画素分だけ左にスクロールさせる。また、縦方向（上下方向）に電子カメラ１を振った場合には、電子カメラ１を横方向に振った場合と基本的に同様にして、ＬＣＤ６に表示された画面を上下方向にスクロールさせる。
【０１４１】
このことにより、撮影時にＬＣＤ６により撮影画面をモニタしながら、電子カメラ１を上下左右に振った場合に撮影画面が移動するのと同様に、再生時に電子カメラ１を上下左右に振ることにより、あたかも、撮影画面が移動しているかのような感覚で、再生画面をスクロールするようにすることができる。むろん、この設定をデフォルトとした上で、ＣＣＤ２０によって撮像された画像の移動量と、ＬＣＤ６に表示された画像のスクロール量との関係を可変にし、これをユーザが設定できるようにしてもよい。
【０１４２】
図１２（Ａ）に示すように、例えば６４０画素×４８０画素の画像の所定の領域を表示領域Ａとし、表示領域Ａの画像をＬＣＤ６の画面に再生して表示させた状態（ズーミングした状態）で、ユーザが電子カメラ１をＹ軸の回りに回動させると、表示領域Ａは、仮想的に画像上を左右に移動し、それに伴って、ＬＣＤ６に表示される画像が左右にスクロールする。同様に、ユーザが電子カメラ１をＸ軸の回りに回動させると、表示領域Ａは仮想的に画像上を上下に移動し、それに伴って、ＬＣＤ６に表示される画像が上下にスクロールする。
【０１４３】
また、Ｘ軸回りの回動とＹ軸回りの回動を組み合わせたような回動を電子カメラ１に与えることにより、表示領域Ａを仮想的に画像上の任意の方向に任意の画素数だけ移動させることができる。従って、ＬＣＤ６に表示された画像を任意の方向にスクロールさせることができる。
【０１４４】
図１２（Ａ）に示すように、記録された画像の中に表示領域Ａが設定され、表示領域Ａ内の画像がＬＣＤ６の画面に表示されている状態で、図１に示したズームスイッチ６０を操作し、ＬＣＤ６に表示されている画像のズームアップを指示すると、例えば、図１２（Ｂ）に示すように、表示領域Ａより小さい表示領域Ｂが仮想的に画像上に設定される。そして、ＬＣＤ６の画面には表示領域Ｂ内の画像が画面全体に表示される。すなわち、画像がさらに拡大されて表示される。
【０１４５】
図１２（Ｂ）に示すように、画像がさらに拡大された場合でも、図１２（Ａ）の場合と同様に、電子カメラ１を回動させることにより、表示領域Ｂを仮想的に記録された画像上の任意の方向に移動させることができる。それに伴って、ＬＣＤ６に表示された拡大された画像が任意の方向にスクロールする。このような再生画像の拡大は、図１に示したズームスイッチ６０を操作することにより、行うことができる。
【０１４６】
また、図１３（Ａ）に示したように、所定の選択項目とカーソルが表示されたメニュー画面において、電子カメラ１の移動または回動により、カーソルを移動させ、所定の項目を選択するようにすることができる。この例の場合、各項目「ＲＥＣＯＲＤＩＮＧ」、「ＰＬＡＹ  ＢＡＣＫ」、「ＳＬＩＤＥ  ＳＨＯＷ」、「ＳＥＴ  ＵＰ」が上下方向に並べられ、電子カメラ１の移動または回動により、カーソルが上下方向に移動する。例えば、電子カメラ１をＸ軸回りに回動させることにより、項目「ＳＥＴ  ＵＰ」にカーソルを移動させた状態で、実行キー７Ｂを選択したり、レリーズスイッチ１０を押すことにより、「ＳＥＴ  ＵＰ」を選択することができる。これにより、ＬＣＤ６の画面には、図１３（Ｂ）に示すようなセットアップ項目が表示される。
【０１４７】
セットアップ項目は、この例の場合、２ページに渡って表示され、電子カメラ１をＸ軸方向に回動させることにより、１ページ目と２ページ目を交互に切り替えて表示させることができる。ユーザは、所望のセットアップ項目のあるページを表示させ、ペン４１等を用いたり、図示せぬカーソルをカメラの回動に合わせて移動させた後、レリーズスイッチ１０を押したり、実効キー７Ｂを選択することにより、それを選択する。
【０１４８】
次に、図１１のステップＳ１０において、ユーザによって他の処理の実行が指示されたか否かが判定される。他の処理の実行が指示されていないと判定された場合、ステップＳ１に戻り、ステップＳ１以降の処理が繰り返し実行される。一方、他の処理の実行が指示されたと判定された場合、ステップＳ１１に進み、他の処理を実行し、処理を終了する。
【０１４９】
このように、電子カメラ１を移動または回動させることによって、画面に表示された画像のスクロールやカーソルの移動を簡単に行うことができるので、特に、携帯機器の操作性を向上させることができる。
【０１５０】
図１４は、本発明を適用した電子カメラの他の実施の形態の構成例を示すブロック図である。この実施の形態においては、図６に示した実施の形態に、圧電ジャイロ６１と、圧電ジャイロ駆動回路６２を設けるようにしている。その他の構成および動作は、図６を参照して上述した場合と同様であるので、ここではその説明は省略する。
【０１５１】
圧電ジャイロ６１は、回転による角速度を２軸に関して検出し、対応する信号を出力するようになされている。圧電ジャイロ駆動回路６２は、圧電ジャイロ６１に電力を供給するとともに、圧電ジャイロ６１からの信号をＣＰＵ３９に供給するようになされている。
【０１５２】
次に、図１５に示したフローチャートを参照して、圧電ジャイロ６１を用いて電子カメラ１の回動を検出し、画面に表示された画像をスクロールさせたり、カーソルを移動させる場合の処理手順について説明する。
【０１５３】
最初に、ステップＳ２１において、圧電ジャイロ６１により検出されたＸ軸回りの角速度に対応する信号が、圧電ジャイロ駆動回路６２を介してＣＰＵ３９に供給される。次に、ステップＳ２２において、圧電ジャイロ６１により検出されたＹ軸回りの角速度に対応する信号が圧電ジャイロ６２を介してＣＰＵ３９に供給される。次に、ステップＳ２３に進み、ステップＳ２１、Ｓ２２において検出されたＸ軸回りの角速度およびＹ軸回りの角速度に応じた画像のスクロール方向、およびスクロール量が演算される。
【０１５４】
ここで、角速度とスクロール量の関係を、次のように設定することができる。すなわち、撮影レンズ３の水平方向の撮影角度θ、ＬＣＤ６の水平方向の画素が２８０画素であり、撮影範囲の全てがＬＣＤ６に表示されるように構成されている。そして、例えば、電子カメラ１がＸ軸回りにθ／１０だけ回転したことを角速度より検出した場合、ＬＣＤ６上に表示された画像を、ＬＣＤ６の水平方向の画素数の１／１０である２８画素分だけ上下方向に移動させる。また、電子カメラ１をＹ軸の回りに回転したことを角速度より検出した場合も、Ｘ軸回りに回転した場合と基本的に同様にして、ＬＣＤ６に表示された画像を左右方向に移動させる。
【０１５５】
このことにより、撮影時にＬＣＤ６により撮影画像をモニタしながら、電子カメラ１を上下左右に振った場合に撮影画像が移動するのと同様に、再生時に電子カメラ１を上下左右に振ることにより、あたかも、撮影画像が移動しているかのような感覚で、再生画像をスクロールさせるようにすることができる。むろん、この設定をデフォルトとした上で、電子カメラ１の回転量とＬＣＤ６に表示された画像のスクロール量との関係を可変にし、これをユーザが設定できるようにしてもよい。
【０１５６】
ステップＳ２４においては、ステップＳ２３において演算されたスクロール方向およびスクロール量に応じて、図１２および図１３を参照して上述した場合と同様にして、ＬＣＤ６の画面に表示された画像をスクロールさせたり、カーソルを移動させる。
【０１５７】
このように、圧電ジャイロ６１を用いて電子カメラ１の回動を検出するようにし、ユーザが電子カメラ１を回動させるのに応じて、ＬＣＤ６の画面に表示された画像をスクロールさせたり、カーソルを移動させたりすることができる。
【０１５８】
図１６は、本発明を適用した電子カメラ１のさらに他の実施の形態の構成例を示すブロック図である。この実施の形態においては、図６に示した実施の形態に、電子コンパス７１と、電子コンパス駆動回路７２を設けるようにしている。その他の構成および動作は、図６を参照して上述した場合と同様であるので、ここではその説明は省略する。
【０１５９】
電子コンパス７１は、ホール素子等の磁気素子により構成され、地磁気を検出して方位を検出するものである。電子コンパス駆動回路７２は、電子コンパス７１に電力を供給するとともに、電子コンパス７１によって検出された方位に対応する信号をＣＰＵ３９に供給するようになされている。
【０１６０】
次に、図１７に示したフローチャートを参照して、電子コンパス７１を用いて電子カメラ１の回動を検出し、画面に表示された画像をスクロールさせたり、カーソルを移動させる場合の処理手順について説明する。
【０１６１】
最初に、ステップＳ３１において、電子コンパス７１により、北極点の方向が検出される。検出された北極点の方向に対応する信号は、電子コンパス駆動回路７２によりＣＰＵ３９に供給される。次に、ステップＳ３２において、ＣＰＵ３９により、北極点の方向と、電子カメラ１を基準としたＸ軸方向との差Ｄ1xが演算され、バッファメモリ３６に記憶される。ステップＳ３３においては、ＣＰＵ３９により、北極点の方向と、電子カメラ１を基準としたＹ軸方向との差Ｄ1yが演算され、バッファメモリ３６に記憶される。
【０１６２】
次に、ステップＳ３４において、前回記憶しておいた北極点の方向と電子カメラ１のＸ軸方向およびＹ軸方向との差Ｄ0x，Ｄ0yがあるか否かが判定される。前回記憶しておいた差Ｄ0x、Ｄ0yがないと判定された場合、ステップＳ３１に戻り、ステップＳ３１以降の処理が繰り返し実行される。一方、前回記憶しておいた差Ｄ0x，Ｄ0yがあると判定された場合、ステップＳ３５に進み、ＣＰＵ３９により、前回のＤ0x，Ｄ0yと、いま検出されたＤ1x，Ｄ1yとの差ΔＤx，ΔＤyが演算される。
【０１６３】
次に、ステップＳ３６において、ＣＰＵ３９は、ＬＣＤ６の画面に表示された画像を、差ΔＤx，ΔＤyに対応する方向に、対応する画素数だけスクロールさせる。あるいは、ＬＣＤ６の画面に表示されたカーソルを、差ΔＤx，ΔＤyに対応する方向に、対応する画素数だけ移動させる。
【０１６４】
撮影レンズ３の水平方向の撮影角度がθ、ＬＣＤ６の水平方向の画素が２８０画素であり、撮影範囲が全てＬＣＤ６に表示されるように構成されているものとする。そして、ＣＰＵ３９は、例えば、電子カメラ１がＹ軸回りにθ／１０だけ回転したことを、電子コンパスの検出する方位の変位によって検出した場合、ＬＣＤ６上の画像も水平方向の画素数の１／１０画素である２８画素だけ左右方向に移動させる。電子カメラ１をＸ軸回りに回転させた場合も、電子カメラ１をＹ軸回りに回転させた場合と基本的に同様にして、ＬＣＤ６上に表示された画像を上下方向に移動させる。
【０１６５】
このことにより、撮影時にＬＣＤ６により撮影画像をモニタしながら、電子カメラ１を上下左右に振った場合に撮影画像が移動するのと同様に、再生時に電子カメラ１を上下左右に振ることにより、あたかも、撮影画像が移動しているかのような感覚で、再生画像がスクロールするようにすることができる。むろん、この設定をデフォルトとした上で、電子カメラ１の回転量とＬＣＤ６に表示された画像のスクロール量との関係を可変にし、これをユーザが設定できるようにしてもよい。
【０１６６】
ステップＳ３７においては、ユーザにより、他の処理の実行が指示されたか否かが判定される。他の処理の実行が指示されていないと判定された場合、ステップＳ１に戻り、ステップＳ１以降の処理が繰り返し実行される。一方、ユーザにより、他の処理の実行が指示されたと判定された場合、ステップＳ３８に進み、他の処理が実行され、処理を終了する。
【０１６７】
このように、電子コンパス７１を用いて電子カメラ１の回動を検出するようにし、ユーザが電子カメラ１を回動させるのに応じて、ＬＣＤ６の画面に表示された画像をスクロールさせたり、カーソルを移動させたりすることができる。
【０１６８】
また、図１２に示したように、本願出願人が「特願平８−１５３７８３」において提案した、ズームレンズのズーミング部材によって、再生画像の拡大倍率の操作を行うという方法と、本発明とを組み合わせてもよい。これにより、撮影レンズ３によるズーミングの操作と同一の操作で、再生時の電子ズームが可能となるとともに、再生時のスクロール操作も撮影時と同様の感覚で行うことができ、使用勝手を向上させることができる。
【０１６９】
次に、図１８に示したフローチャートを参照して、ＣＣＤ２０によって時系列的に取り込まれた画像に基づいて、電子カメラ１の移動および回動を検出し、画面表示を制御する他の方法について説明する。
【０１７０】
最初に、ステップＳ４１において、ＣＣＤ２０による画像の取り込みを行う。すなわち、ＣＰＵ３９は、画像処理部３１を制御し、ＣＣＤ２０が光電変換した画像信号を所定のタイミングでサンプリングする。サンプリングされた画像信号は、Ａ／Ｄ変換回路３２においてディジタルの画像データに変換され、ＤＳＰ３３により一旦バッファメモリ３６に供給される。そして、ＤＳＰ３３によりバッファメモリ３６に記憶された画像データが読み出され、圧縮処理が施された後、メモリカード２４に供給され、記憶される。
【０１７１】
次に、ステップＳ４２に進み、ＣＰＵ３９により、ステップＳ４１において取り込まれた画像のコントラストが十分であるか否かが判定される。すなわち、取り込まれた画像の中から、コントラストが高い複数の部分を検出することができるか否かが判定される。例えば、背景が真っ暗な場合、コントラストのある画像を取り込むことはできない。取り込んだ画像のコントラストの高い複数の部分を検出することができると判定された場合、ステップＳ４５に進む。
【０１７２】
一方、コントラストの高い複数の部分を検出することができないと判定された場合、ステップＳ４３に進み、ＣＰＵ３９は赤目軽減ＬＥＤ駆動回路３８を制御し、赤目軽減ＬＥＤ１５を点灯させる。これにより、電子カメラ１の面Ｘ１側にある物体に対して光が照射される。次に、ステップＳ４４において、再度、上述した場合と同様にして、ＣＰＵ３９の制御により、ＣＣＤ２０による画像の取り込みが行われる。このとき、赤目軽減ＬＥＤ１５が点灯しているので、取り込まれた画像にはコントラストがあり、コントラストの高い複数の部分を検出することができる。ＣＣＤ２０による画像の取り込みが終了すると、ＣＰＵ３９は、赤目軽減ＬＥＤ駆動回路３８を制御し、赤目軽減ＬＥＤ１５を消灯する。
【０１７３】
ステップＳ４５においては、ＣＰＵ３９により、メモリカード２４に取り込まれた画像の中のコントラストの高い複数の部分が検出され、ステップＳ４６において、それらの部分の画面上での座標値Ｐ1n（Ｐxn，Ｐyn）が、例えばバッファメモリ３６に記憶される。ここで、ｎはコントラストの高い複数の部分に対応する番号を表している。
【０１７４】
次に、ステップＳ４７において、前回記憶しておいたコントラストの高い複数の部分の座標値Ｐ0nがあるか否かが判定される。前回記憶しておいた座標値Ｐ0nがないと判定された場合、ステップＳ４１に戻り、ステップＳ４１以降の処理が再度実行される。ステップＳ４１乃至Ｓ４７が実行される周期は、例えば、画像を取り込む周期に合わせて３０ヘルツ（Ｈｚ）とすることができる。従って、赤目軽減ＬＥＤ１５は３０ヘルツ（Ｈｚ）の周期で間欠的に点滅することになる。
【０１７５】
また、背景が真っ暗な場合、赤目軽減ＬＥＤ１５の代わりに、他の図示せぬ照明装置を用いて背景に照明光をあて、ＣＣＤ２０によるコントラストのある画像の取り込みを可能にするようにすることもできる。
【０１７６】
一方、前回記憶しておいた座標値Ｐ0nがあると判定された場合、ステップＳ４８に進み、前回記憶しておいた座標値Ｐ0nと、いま検出した座標値Ｐ1nとの差ΔＰn（ΔＰxn，ΔＰyn）を求める。
【０１７７】
次に、ステップＳ４９に進み、ＣＰＵ３９により、差ΔＰn（ΔＰxn，ΔＰyn
）に基づいて、電子カメラ１が、図１９に示すように、撮影レンズ３の光軸方向とほぼ平行な方向に平行移動したか否かが判定される。この判定は、ステップＳ４５において検出された複数のコントラストの高い部分の時系列的な変化に基づいて行われる。例えば、図２０に示すように、ＣＣＤ２０によって取り込まれた画像のコントラストの高い複数の部分が、画像の中心付近から遠ざかるような動き、若しくは、画像の中心付近に向かって近づくような動きをした場合、電子カメラ１は、レンズ３の光軸方向にほぼ平行な方向に平行移動したと判定される。
【０１７８】
電子カメラ１の移動が光軸方向にほぼ平行な方向への平行移動であると判定された場合、ステップＳ５３に進み、ＣＰＵ３９の制御により、ズーミング処理が行われる。例えば、電子カメラ１を図１９のベクトルＭ１の方向に平行移動させた場合、ＣＰＵ３９はＬＣＤ６の画面に表示中の画像を拡大して表示させる。一方、電子カメラ１を図１９のベクトルＭ２の方向に平行移動させた場合、ＣＰＵ３９はＬＣＤ６の画面に表示中の画像を縮小して表示させる。
【０１７９】
一方、ステップＳ４９において、電子カメラ１の移動がレンズ３の光軸方向とほぼ平行な方向への平行移動ではないと判定された場合、ステップＳ５０に進み、電子カメラ１が図１０に示したように、電子カメラ１の中心から面Ｘ２の中心を通るＺ軸の回りに所定の角度だけ回転されたか否かが判定される。この判定は、ステップＳ４５によって検出された複数のコントラストの高い部分の時系列的な変化に基づいて行われる。例えば、図２１に示すように、コントラストの高い複数の部分が、画像の中心点付近の回りに所定の角度だけ回転するように移動した場合、電子カメラ１がＺ軸の回りに所定の角度だけ回転したと判定される。
【０１８０】
電子カメラ１がＺ軸の回りに所定の角度だけ回転されたと判定された場合、ステップＳ５４に進み、電子カメラ１の回転が時計回りの回転であるか否かが判定される。時計回りの回転であると判定された場合、ステップＳ５５において、ＬＣＤ６の画面に表示されている画像を時計回りに例えば９０度だけ回転させる。一方、ステップＳ５４において、電子カメラ１の回転が時計回りの回転ではないと判定された場合、ステップＳ５６に進み、ＬＣＤ６の画面に表示されている画像を反時計回りに例えば９０度だけ回転させる。
【０１８１】
また、ステップＳ５０において、電子カメラ１がＺ軸回りに回転していないと判定された場合、ステップＳ５１に進み、スクロール禁止スイッチが押されているか否かが判定される。ここで、スクロール禁止スイッチは、専用のスイッチを新たに設けてもよいし、レリーズスイッチ１０や録音スイッチ１２を代用するようにしてもよい。その場合、再生中にレリーズスイッチ１０または録音スイッチ１２が押された場合、これらのスイッチはスクロール禁止スイッチとして動作するようにする。
【０１８２】
スクロール禁止スイッチが押されていると判定された場合、ＣＰＵ３９は、ＬＣＤ６の画面に表示された画像のスクロールは行わないので、ステップＳ４１に戻り、ステップＳ４１以降の処理が繰り返し実行される。一方、スクロール禁止スイッチが押されていないと判定された場合、ステップＳ５２に進む。
【０１８３】
ステップＳ５２においては、差ΔＰn（ΔＰxn，ΔＰyn）に対応する所定の方
向に、所定の画素数だけ、画面に表示された再生画像をスクロールさせる。スクロールの詳細な手順については、図１１のフローチャートを参照して上述した場合と同様であるので、ここではその説明は省略する。
【０１８４】
ステップＳ５３、ステップＳ５５、ステップＳ５６、またはステップＳ５２における処理が終了すると、ステップＳ５７に進む。ステップＳ５７においては、他の処理が指示されたか否かが判定される。他の処理が指示されていないと判定された場合、ステップＳ４１に戻り、ステップＳ４１以降の処理が繰り返し実行される。一方、他の処理が指示されたと判定された場合、ステップＳ５８に進み、他の処理が実行された後、処理を終了する。
【０１８５】
例えば、図２２に示すように、記録された画像の中の位置Ｌ１に表示領域Ｃが仮想的に設定され、表示領域Ｃ内の画像がＬＣＤ６の画面に表示されている状態で、電子カメラ１をＹ軸の回りの所定の方向に回動させると、表示領域Ｃは記録された画像の中を仮想的に移動する。そして、例えば、最終的に位置Ｌ２に移動したとする。その結果、ＬＣＤ６の画面には、位置Ｌ２の表示領域Ｃ内の画像が表示されることになる。
【０１８６】
この状態で、さらに記録された画像内の表示領域を仮想的に移動させ、位置Ｌ３の表示領域Ｃ内の画像をＬＣＤ６の画面に表示させたい場合、電子カメラ１を持つ手をさらにＹ軸の回りの上記方向に回動させるのは困難な場合がある。その場合、一旦、スクロール禁止スイッチを押しながら、電子カメラ１をＹ軸回りの上記方向とは逆の方向に回動させる。その間、スクロール禁止スイッチが押されているため、ＬＣＤ６の画面には、記録された画像上の位置Ｌ２の表示領域Ｃ内の画像が継続して表示されることになる。
【０１８７】
次に、スクロール禁止スイッチを押すことを止め、記録された画像上において表示領域Ｃを位置Ｌ２から位置Ｌ３に仮想的に移動させるように、電子カメラ１をＹ軸の回りの所定の方向に回動させる。これにより、表示領域Ｃは記録された画像上において位置Ｌ３に移動し、ＬＣＤ６の画面には、位置Ｌ３での表示領域Ｃ内の画像が表示される。このように、スクロール禁止スイッチを用いることにより、電子カメラ１をＹ軸の回りに回動させる操作を複数回行うことによって、表示領域Ｃを、記録された画像上の任意の位置に移動させることができる。
【０１８８】
即ち、電子カメラ１をＹ軸の回りに１回の操作で回動可能な角度に対応する、記録された画像上での表示領域Ｃの移動距離が、記録された画像の大きさに比べて小さい場合でも、上記回動操作を所定の回数だけ繰り返すことにより、表示領域Ｃを、記録された画像上の任意の位置に移動させることができる。
【０１８９】
ここでは、電子カメラ１をＹ軸の回りに回動させる場合について説明したが、Ｘ軸の回りに回動させる場合についても、上述した場合と基本的に同様にして、表示領域Ｃを、記録された画像上において上下方向に移動させることができる。また、Ｘ軸の回りの回動と、Ｙ軸の回りの回動を組み合わせた回動の場合も同様である。その場合、表示領域Ｃを、記録された画像上において任意の方向に移動させることができる。
【０１９０】
このように、スクロール禁止スイッチを用いることにより、電子カメラ１をＸ軸の回り、またはＹ軸の回りに回動させる操作、あるいはそれらを組み合わせて回動させる操作を複数回に分けて行うようにすることができるので、記録された画像の大きさに拘らず、電子カメラ１の回動により、表示領域Ｃを任意の方向に移動させることができる。即ち、ＬＣＤ６の画面に表示された画像を任意の方向にスクロールさせることができる。
【０１９１】
また、上記実施の形態において、図１１、図１５、図１７、および図１８のフローチャートに示した各処理をＣＰＵ３９に行わせるプログラムは、電子カメラ１のＲＯＭ４３やメモリカード２４等に記憶させるようにすることができる。また、このプログラムは、予め上記ＲＯＭ４３やメモリカード２４に記憶された状態で使用者に供給されるようにしてもよいし、ＲＯＭ４３やメモリカード２４にコピー可能なように、ＣＤ−ＲＯＭ（compact disc-read only memory）等に記憶された状態で使用者に供給されるようにしてもよい。その場合、ＲＯＭ４３は、例えば、電気的に書き換え可能なＥＥＰＲＯＭ（electrically erasable and programmable read only memory）等で構成するようにすることができる。
【０１９２】
なお、上記実施の形態においては、ファインダ２を光学的なものとしたが、液晶を用いた液晶ファインダを用いるようにすることも可能である。
【０１９３】
また、上記実施の形態においては、撮影レンズ、ファインダ、発光部をこの順で、電子カメラの正面から見て、左から順に並べるようにしたが、右から順に並べるようにすることも可能である。
【０１９４】
また、上記実施の形態においては、マイクロホンを１つだけ設けるようにしたが、マイクロホンを左右に２つ設けるようにし、音声をステレオで記録するようにすることも可能である。
【０１９５】
また、上記実施の形態においては、ペン型指示装置を用いて各種情報を入力するようにしたが、指を用いて入力するようにすることも可能である。
【０１９６】
また、ＬＣＤ６に表示された表示画面は一例であって、これに限定されるものではなく、様々なレイアウトの画面を用いるようにすることが可能である。同様に、操作キーの種類やレイアウトも一例であって、これに限定されるものではない。
【０１９７】
また、上記実施の形態においては、スクロール禁止スイッチを押すことにより、スクロールを禁止することができるようにしたが、逆に、スクロールを許可するスクロール許可スイッチを設け、スクロール許可スイッチを押している間だけ、電子カメラ１の回動に従ってＬＣＤ６の画面に表示された画像がスクロールし、スクロール許可スイッチを押していないときは、電子カメラ１を回動させても画像がスクロールしないようにすることも可能である。また、その場合、レリーズスイッチ１０や録音スイッチ１２をスクロール許可スイッチとして代用するようにすることができる。
【０１９８】
また、上記実施の形態においては、図１８のフローチャートを参照して上述したズーミング処理において、ズーミング処理を禁止するズーミング禁止スイッチ、あるいはズーミング処理を許可するズーミング許可スイッチを設け、スクロール禁止スイッチやスクロール許可スイッチの場合と同様の操作を可能とすることができる。その場合にも、レリーズスイッチ１０や録音スイッチ１２をズーミング禁止スイッチあるいはズーミング許可スイッチとして代用するようにすることができる。
【０１９９】
また、上記各実施の形態においては、本発明を電子カメラに適用した場合について説明したが、その他の携帯用機器に本発明を適用することも可能である。
【０２００】
また、上記各実施の形態においては、取り込んだ画像に基づいて電子カメラ１の移動および回動を検出する場合、取り込んだ画像のコントラストの時系列的な変化によって行うようにしたが、取り込んだ画像の色の時系列的な変化によって電子カメラ１の移動および回動を検出するようにすることも可能である。あるいは、その他の画像処理によって検出するようにすることも可能である。
【０２０１】
さらに、上記各実施の形態において、ビデオ信号を出力する端子を設け、外部のテレビジョン受像機やモニタに、電子カメラ１のＬＣＤ６に表示される画像やメニュー画面を表示させるようにすることもできる。
【図面の簡単な説明】
【０２０２】
【図１】本発明を適用した電子カメラの一実施の形態を正面の側から見た斜視図である。
【図２】電子カメラ１をＬＣＤカバー１４を開けた状態で背面の側から見た斜視図である。
【図３】電子カメラ１をＬＣＤカバー１４を閉じた状態で背面の側から見た斜視図である。
【図４】電子カメラ１の内部の構成例を示す図である。
【図５】電子カメラ１のＬＣＤスイッチ２５とＬＣＤカバー１４の動作を説明する図である。
【図６】電子カメラ１の内部の電気的構成例を示すブロック図である。
【図７】間引き処理を説明するための図である。
【図８】間引き処理の他の例を示す図である。
【図９】電子カメラ１のＬＣＤ６に表示される表示画面例を示す図である。
【図１０】電子カメラ１を基準として定義した、Ｘ軸およびＹ軸を示す図である。
【図１１】ＣＣＤ２０によって時系列的に取り込まれた画像に基づいて、電子カメラ１の移動および回動を検出し、画面表示を制御する方法を説明するフローチャートである。
【図１２】画像とＬＣＤ６に表示される表示領域との関係を示す図である。
【図１３】メニュー画面およびセットアップ項目選択画面を示す図である。
【図１４】電子カメラ１の内部の他の電気的構成例を示すブロック図である。
【図１５】圧電ジャイロ６１によって検出された角速度に基づいて、電子カメラ１の回動を検出し、画面表示を制御する方法を説明するフローチャートである。
【図１６】電子カメラ１の内部のさらに他の電気的構成例を示すブロック図である。
【図１７】電子コンパス７１によって検出された方位に基づいて、電子カメラ１の回動を検出し、画面表示を制御する方法を説明するフローチャートである。
【図１８】ＣＣＤ２０によって時系列的に取り込まれた画像に基づいて、電子カメラ１の移動および回動を検出し、画面表示を制御する他の方法を説明するフローチャートである。
【図１９】電子カメラ１を撮影レンズ３の光軸方向にほぼ平行な方向に平行移動させる操作を示す図である。
【図２０】図１９の操作を行ったときのＣＣＤ２０によって取り込まれた画像の時系列的な変化を示す図である。
【図２１】電子カメラ１をＺ軸の回りに回動させたときのＣＣＤ２０によって取り込まれた画像の時系列的な変化を示す図である。
【図２２】スクロール禁止スイッチを用いて、ＬＣＤ６の画面に表示された画像をスクロールさせる方法を説明する図である。
【符号の説明】
【０２０３】
１  電子カメラ
２  ファインダ
３  撮影レンズ
４  発光部（ストロボ）
５  スピーカ
６  ＬＣＤ（表示手段）
６Ａ  タッチタブレット
７  操作キー
７Ａ  メニューキー
７Ｂ  実行キー
７Ｃ  キャンセルキー
７Ｄ  デリートキー
７Ｅ  スクロールキー
８  マイクロホン
９  イヤホンジャック
１０  レリーズスイッチ（禁止手段）
１１  電源スイッチ
１２  録音スイッチ（禁止手段）
１３  連写モード切り換えスイッチ
１５  赤目軽減ＬＥＤ
１６  測光素子
１７  測色素子
２０  ＣＣＤ（検出手段、撮像手段）
２１  バッテリ
２２  コンデンサ
２３  回路基板
２４  メモリカード（記憶手段）
２６  ファインダ内表示素子
３０  レンズ駆動回路
３１  画像処理部
３２  アナログ／ディジタル変換回路（Ａ／Ｄ）
３３  ディジタルシグナルプロセッサ（ＤＳＰ）
３４  ＣＣＤ駆動回路
３５  フレームメモリ
３６  バッファメモリ
３７  ストロボ駆動回路
３８  赤目軽減ＬＥＤ駆動回路
３９  ＣＰＵ（表示変更手段、制御手段）
４０  ファインダ内表示回路
４１  ペン
４２  Ａ／Ｄ−Ｄ／Ａ変換回路
４３  ＲＯＭ
４５  タイマ
４８  インタフェース
５１  測光回路
５２  測色回路
５３  絞り駆動回路
５４  絞り
６１  圧電ジャイロ（検出手段）
６２  圧電ジャイロ駆動回路
７１  電子コンパス（検出手段）
７２  電子コンパス駆動回路
【図１】
2008065851.tif 000003
【図２】
2008065851.tif 000004
【図３】
2008065851.tif 000005
【図４】
2008065851.tif 000006
【図５】
2008065851.tif 000007
【図６】
2008065851.tif 000008
【図７】
2008065851.tif 000009
【図８】
2008065851.tif 000010
【図９】
2008065851.tif 000011
【図１０】
2008065851.tif 000012
【図１１】
2008065851.tif 000013
【図１２】
2008065851.tif 000014
【図１３】
2008065851.tif 000015
【図１４】
2008065851.tif 000016
【図１５】
2008065851.tif 000017
【図１６】
2008065851.tif 000018
【図１７】
2008065851.tif 000019
【図１８】
2008065851.tif 000020
【図１９】
2008065851.tif 000021
【図２０】
2008065851.tif 000022
【図２１】
2008065851.tif 000023
【図２２】
2008065851.tif 000024